(57)【要約】  【課題】安定した画像濃度で画像形成することのできる、画像形成装置を提供する。  【解決手段】ＣＰＵ７１は、用紙３上のパッチ反射率ＩｐａおよびＩｐｂと用紙３の下地反射率Ｉｂとの偏差を求め、実効現像バイアス、透過濃度、光反射率と下地反射率との偏差の関係を表したテーブルから、実効バイアスＶｔａ、Ｖｔｂのそれぞれに対応する透過濃度Ｄｍａ、Ｄｍｂを求め、実効現像バイアスに対する透過濃度のグラフの傾きの逆数ｄＶを求める。さらに、実効現像バイアスに対して透過濃度が比例関係にある領域内に設定された目標透過濃度Ｄｒと透過濃度Ｄｍａとの偏差に、求めた傾きの逆数ｄＶを乗算し、この乗算値にパッチ形成時の実効現像バイアスＶｔａを加算することにより、実効現像バイアスＶｂを決定して、この実効現像バイアスＶｂに静電潜像電位を加えた大きさの印加バイアスが現像ローラ３３に印加されるように、直流電源７５を制御する。【選択図】        図５
2006126821.tif 000002
【特許請求の範囲】
【請求項１】
像担持体と、前記像担持体と接触するように対向配置され、非磁性１成分の現像剤を担持して前記像担持体に形成される潜像を現像するための現像剤担持体と、潜像の現像時の実効現像バイアスを制御するための制御手段とを備える画像形成装置において、
前記制御手段は、実効現像バイアスに対して現像剤の透過濃度が比例関係にある領域において、目標透過濃度を設定し、その目標透過濃度と前記比例関係とに基づいて、実効現像バイアスを制御することを特徴とする、画像形成装置。
【請求項２】
現像剤の透過濃度に対する値を検知するための濃度検知手段を備え、
前記制御手段は、前記濃度検知手段により検知された値に基づいて、実効現像バイアスを制御することを特徴とする、請求項１に記載の画像形成装置。
【請求項３】
温度および湿度を検知するための温湿度検知手段を備え、
前記制御手段は、前記温湿度検知手段により検知された温度および湿度に対応する実効現像バイアスが記憶されているテーブルを備え、前記テーブルに基づいて、実効現像バイアスを制御することを特徴とする、請求項１に記載の画像形成装置。
【請求項４】
温度を検知するための温度検知手段を備え、
前記制御手段は、前記温度検知手段により検知された温度に対応する実効現像バイアスが記憶されているテーブルを備え、前記テーブルに基づいて、実効現像バイアスを制御することを特徴とする、請求項１に記載の画像形成装置。
【請求項５】
湿度を検知するための湿度検知手段を備え、
前記制御手段は、前記湿度検知手段により検知された湿度に対応する実効現像バイアスが記憶されているテーブルを備え、前記テーブルに基づいて、実効現像バイアスを制御することを特徴とする、請求項１に記載の画像形成装置。
【請求項６】
新規に現像剤を投入してからの前記現像剤担持体の累積駆動時間を計測するための駆動計測手段を備え、
前記制御手段は、前記駆動計測手段により計測された累積駆動時間に対応する実効現像バイアスが記憶されているテーブルを備え、前記テーブルに基づいて、実効現像バイアスを制御することを特徴とする、請求項１に記載の画像形成装置。
【請求項７】
新規に現像剤を投入してからの前記現像剤担持体の累積駆動時間を計測するための駆動計測手段と、
新規に現像剤を投入してからの現像剤の累積消費量を計測するための消費量計測手段とを備え、
前記制御手段は、前記駆動計測手段により計測された累積駆動時間および前記消費量計測手段により計測された累積消費量に対応する実効現像バイアスが記憶されているテーブルを備え、前記テーブルに基づいて、実効現像バイアスを制御することを特徴とする、請求項１に記載の画像形成装置。
【請求項８】
前記像担持体のある領域のすべてを現像する場合に、前記現像剤担持体の表面上に担持される現像剤の単位質量あたりの帯電量と、前記像担持体のある領域のすべてを現像しない場合に、前記現像剤担持体の表面上に担持される現像剤の単位質量あたりの帯電量とが等しいことを特徴とする、請求項１ないし７のいずれかに記載の画像形成装置。
【請求項９】
前記像担持体のある領域のすべてを現像する場合における前記現像剤担持体の表面上に担持される現像剤の単位面積あたりの質量が、前記像担持体のある領域のすべてを現像しない場合における前記現像剤担持体の表面上に担持される現像剤の単位面積あたりの質量よりも小さいことを特徴とする、請求項１ないし８のいずれかに記載の画像形成装置。
【請求項１０】
前記制御手段は、実効現像バイアスに対して現像剤の反射濃度が飽和する領域において、特定の透過濃度となるように、実効現像バイアスを制御することを特徴とする、請求項１ないし９のいずれかに記載の画像形成装置。
【請求項１１】
前記制御手段は、前記現像剤担持体の印加バイアスを制御することにより、実効現像バイアスを制御することを特徴とする、請求項１ないし１０のいずれかに記載の画像形成装置。
【請求項１２】
前記現像剤担持体の移動速度が、前記像担持体の移動速度に対して、１．５倍以上に設定されていることを特徴とする、請求項１ないし１１のいずれかに記載の画像形成装置。
【請求項１３】
現像剤の帯電量が、１０μＣ／ｇ以上であることを特徴とする、請求項１ないし１２のいずれかに記載の画像形成装置。
【請求項１４】
現像剤は、スチレンアクリル樹脂に正帯電性を付与するための荷電制御樹脂を加えた正帯電トナーであることを特徴とする、請求項１ないし１３のいずれかに記載の画像形成装置。
【請求項１５】
複数色の現像剤を用いてカラー画像を形成する画像形成装置であって、
前記像担持体および現像剤担持体は、各色ごとに設けられており、
前記制御手段は、各色ごとに実効バイアスを制御することを特徴とする、請求項１ないし１４のいずれかに記載の画像形成装置。
【発明の詳細な説明】
【技術分野】
【０００１】
本発明は、レーザプリンタなどの画像形成装置に関する。
【背景技術】
【０００２】
従来より、電子写真方式の画像形成装置として、非磁性１成分の現像方式が採用されているものが知られている。このような画像形成装置では、通常、トナー収容部と、互いに接触状に対向配置される供給ローラおよび現像ローラと、現像ローラの表面に圧接状に配置される層厚規制ブレードとを備える現像カートリッジが着脱自在に設けられている。
トナー収容部に収容されている非磁性１成分のトナーは、まず、トナー収容部内に設けられているアジテータによって、供給ローラに向かって搬送される。次いで、アジテータによって供給ローラに搬送されてきたトナーは、供給ローラの回転によって現像ローラに供給される。この時、トナーは、供給ローラと現像ローラとの間で摩擦帯電される。さらに、現像ローラの表面上に供給されたトナーは、現像ローラの回転に伴って、層厚規制ブレードと現像ローラとの間に進入し、ここでさらに摩擦帯電されて、一定の厚さの薄層として現像ローラの表面上に担持される。
【０００３】
そして、現像カートリッジは、画像形成装置に装着された状態において、現像ローラと感光ドラムとが対向するように配置されている。現像ローラの表面上に薄層として担持されたトナーは、感光ドラムと対向した時に、現像ローラに印加される現像バイアスによって、その感光ドラムの表面上に形成されている静電潜像を現像して、トナー像を形成し、そのトナー像が転写ローラによって用紙に転写されることで、用紙に所定の画像が形成される。
【０００４】
このような非磁性１成分の現像方式が採用されている画像形成装置では、一般的に、用紙に対するトナーの付着量に比例する透過濃度と、感光ドラムにおいて静電潜像が形成されている部分の電位と現像ローラに印加される現像バイアスとの差である実効現像バイアスとは、図１５に示す関係がある。すなわち、図１５に示すように、一般的に、実効現像バイアスが低い領域においては、実効現像バイアスが高くなるに従って透過濃度が高くなる比例関係にある一方、実効現像バイアスが高い領域においては、実効現像バイアスを高くしても、透過濃度はそれ以上高くならず、一定の飽和状態を維持するようになる。
【０００５】
しかるに、このような特性を示す非磁性１成分の現像方式においては、透過濃度が飽和して一定となるように、実効現像バイアスを高く設定して、現像の安定化を図ることが知られている（たとえば、特許文献１参照。）。
【特許文献１】特開２００３−４３７６１号公報
【発明の開示】
【発明が解決しようとする課題】
【０００６】
しかし、上記のように、透過濃度が飽和して一定となるように、実効現像バイアスを印加しても、透過濃度が一定となるレベル（絶対値）は、たとえば、現像ローラの表面粗さ、温度および湿度、用紙の連続印刷枚数などによって変化するため、その変化に起因して画像濃度が安定しないという不具合を生じる。
また、いわゆる黒べた（感光ドラムの静電潜像形成領域のすべてを現像して得られる画像）を形成した後に画像を形成する場合と、いわゆる白べた（感光ドラムの静電潜像形成領域のすべてを現像しないで得られる画像）を形成した後に画像を形成する場合とでは、形成された画像の透過濃度が一定となるレベル（絶対値）が、黒べたを形成した後よりも白べたを形成した後の方が高くなる。したがって、直前に形成される画像の内容、たとえば黒べたか白べたかにより、直後の画像濃度が変化するという不具合を生じる。
【０００７】
本発明の目的は、安定した画像濃度で画像形成することのできる、画像形成装置を提供することにある。
【課題を解決するための手段】
【０００８】
上記の目的を達成するため、請求項１に記載の発明は、像担持体と、前記像担持体と接触するように対向配置され、非磁性１成分の現像剤を担持して前記像担持体に形成される潜像を現像するための現像剤担持体と、潜像の現像時の実効現像バイアスを制御するための制御手段とを備える画像形成装置において、前記制御手段は、実効現像バイアスに対して現像剤の透過濃度が比例関係にある領域において、目標透過濃度を設定し、その目標透過濃度と前記比例関係とに基づいて、実効現像バイアスを制御することを特徴としている。
【０００９】
このような構成によると、実効現像バイアスに対して現像剤の透過濃度が比例関係にある領域において目標透過濃度が設定され、その目標透過濃度と、実効現像バイアスに対する現像剤の透過濃度の比例関係とに基づいて、実効現像バイアスが制御される。たとえば、あらかじめ実験を行うことにより実効現像バイアス、透過濃度、および光反射率と下地反射率との偏差の関係を求めて、これらの関係を表すテーブルを作成しておく。そして、実効現像バイアスと透過濃度とが比例関係にある領域にある実効現像バイアスを２点決定し、その各実効現像バイアスでパッチを作成して、各パッチ反射率を測定し、その各パッチ反射率と下地反射率との偏差を求めた後、テーブルを参照して、各パッチの透過濃度を求めれば、これに基づいて、実効現像バイアスに対する透過濃度のグラフの傾きの逆数を求めることができるので、目標透過濃度に対応する実効現像バイアスを求めることができる。そのため、直前に形成される画像の内容（たとえば、黒べたか白べたか）にかかわらず、目標透過濃度の画像が形成されるように実効現像バイアスを制御することができる。よって、安定した画像濃度で画像を形成することができる。また、像担持体のある領域のすべてを現像した後に、像担持体のある領域のすべてを再び現像する場合と、像担持体のある領域のすべてを現像しない態様の現像を行った後に、像担持体のある領域のすべてを現像する場合とで、実効現像バイアスに対する透過濃度の傾きが一致するような現像特性を有している場合には、その透過濃度の傾きの逆数をあらかじめ求めておけば、目標透過濃度に対応する実効現像バイアスを直ちに求めることができ、より簡素な構成で、安定した画像濃度での画像形成を達成することができる。
【００１０】
また、請求項２に記載の発明は、請求項１に記載の発明において、現像剤の透過濃度に対する値を検知するための濃度検知手段を備え、前記制御手段は、前記濃度検知手段により検知された値に基づいて、実効現像バイアスを制御することを特徴としている。
このような構成によると、像担持体のある領域のすべてを現像した場合に形成される画像の透過濃度を求めて、その透過濃度が目標透過濃度となるように、実効現像バイアスを補正すれば、以降の画像形成において、一定の目標透過濃度で画像を形成することができる。
【００１１】
また、請求項３に記載の発明は、請求項１に記載の発明において、温度および湿度を検知するための温湿度検知手段を備え、前記制御手段は、前記温湿度検知手段により検知された温度および湿度に対応する実効現像バイアスが記憶されているテーブルを備え、前記テーブルに基づいて、実効現像バイアスを制御することを特徴としている。
このような構成によると、テーブルに基づいて、温湿度検知手段によって検知される温度および湿度に対応する実効現像バイアスに制御することができる。そのため、装置の周囲の気温および相対湿度にかかわらず、安定した濃度で画像を形成することができる。
【００１２】
また、請求項４に記載の発明は、請求項１に記載の発明において、温度を検知するための温度検知手段を備え、前記制御手段は、前記温度検知手段により検知された温度に対応する実効現像バイアスが記憶されているテーブルを備え、前記テーブルに基づいて、実効現像バイアスを制御することを特徴としている。
このような構成によると、テーブルに基づいて、温度検知手段によって検知される温度に対応する実効現像バイアスに制御することができる。そのため、装置の周囲の気温にかかわらず、安定した濃度で画像を形成することができる。
【００１３】
また、請求項５に記載の発明は、請求項１に記載の発明において、湿度を検知するための湿度検知手段を備え、前記制御手段は、前記湿度検知手段により検知された湿度に対応する実効現像バイアスが記憶されているテーブルを備え、前記テーブルに基づいて、実効現像バイアスを制御することを特徴としている。
このような構成によると、テーブルに基づいて、湿度検知手段によって検知される湿度に対応する実効現像バイアスに制御することができる。そのため、装置の相対湿度にかかわらず、安定した濃度で画像を形成することができる。
【００１４】
また、請求項６に記載の発明は、請求項１に記載の発明において、新規に現像剤を投入してからの前記現像剤担持体の累積駆動時間を計測するための駆動計測手段を備え、前記制御手段は、前記駆動計測手段により計測された累積駆動時間に対応する実効現像バイアスが記憶されているテーブルを備え、前記テーブルに基づいて、実効現像バイアスを制御することを特徴としている。
【００１５】
このような構成によると、テーブルに基づいて、累積駆動時間に対応する実効現像バイアスに制御することができる。そのため、現像剤担持体の累積駆動時間にかかわらず、安定した濃度で画像を形成することができる。
また、請求項７に記載の発明は、請求項１に記載の発明において、新規に現像剤を投入してからの前記現像剤担持体の累積駆動時間を計測するための駆動計測手段と、新規に現像剤を投入してからの現像剤の累積消費量を計測するための消費量計測手段とを備え、前記制御手段は、前記駆動計測手段により計測された累積駆動時間および前記消費量計測手段により計測された累積消費量に対応する実効現像バイアスが記憶されているテーブルを備え、前記テーブルに基づいて、実効現像バイアスを制御することを特徴としている。
【００１６】
このような構成によると、現像剤担持体の累積駆動時間および現像剤の累積消費量に対応する実効現像バイアスに制御することができる。そのため、現像剤担持体の累積駆動時間および現像剤の累積消費量にかかわらず、安定した濃度で画像を形成することができる。
また、請求項８に記載の発明は、請求項１ないし７のいずれかに記載の発明において、前記像担持体のある領域のすべてを現像する場合に、前記現像剤担持体の表面上に担持される現像剤の単位質量あたりの帯電量と、前記像担持体のある領域のすべてを現像しない場合に、前記現像剤担持体の表面上に担持される現像剤の単位質量あたりの帯電量とが等しいことを特徴としている。
【００１７】
たとえば、現像剤に含まれる荷電制御剤の添加量を調整することにより、像担持体のある領域のすべてを現像する場合に、現像剤担持体の表面に担持されている現像剤の帯電量と、像担持体のある領域のすべてを現像しない場合に、現像剤担持体の表面上に担持されている現像剤の帯電量とを等しくすることができる。そうすれば、像担持体のある領域のすべてを現像した後に、像担持体のある領域のすべてを再び現像する場合と、像担持体のある領域のすべてを現像しない態様の現像を行った後に、像担持体のある領域のすべてを現像する場合とで、実効現像バイアスに対する透過濃度の傾きが一致するような現像特性を持たせることができる。
【００１８】
また、請求項９に記載の発明は、請求項１ないし８のいずれかに記載の発明において、前記像担持体のある領域のすべてを現像する場合における前記現像剤担持体の表面上に担持される現像剤の単位面積あたりの質量が、前記像担持体のある領域のすべてを現像しない場合における前記現像剤担持体の表面上に担持される現像剤の単位面積あたりの質量よりも小さいことを特徴としている。
【００１９】
たとえば、現像剤に含まれる外添剤を調整することにより、像担持体のある領域のすべてを現像する場合において、現像剤担持体の表面に担持される現像剤の単位面積あたりの質量を、像担持体のある領域のすべてを現像しない場合において、現像剤担持体の表面上に担持される現像剤の単位面積あたりの質量よりも小さくすることができる。そうすれば、像担持体のある領域のすべてを現像した後に、像担持体のある領域のすべてを再び現像する場合と、像担持体のある領域のすべてを現像しない態様の現像を行った後に、像担持体のある領域のすべてを現像する場合とで、実効現像バイアスに対する透過濃度の傾きが一致するような現像特性を持たせることができる。
【００２０】
また、請求項１０に記載の発明は、請求項１ないし９のいずれかに記載の発明において、前記制御手段は、実効現像バイアスに対して現像剤の反射濃度が飽和する領域において、特定の透過濃度となるように、実効現像バイアスを制御することを特徴としている。
反射濃度は透過濃度が高い領域で一定値に飽和するので、この構成のように、反射濃度が飽和する領域において目標透過濃度を設定することにより、現像剤像が転写される転写媒体の地色に影響されない安定した濃度の画像を形成することができる。
【００２１】
また、請求項１１に記載の発明は、請求項１ないし１０のいずれかに記載の発明において、前記制御手段は、前記現像剤担持体の印加バイアスを制御することにより、実効現像バイアスを制御することを特徴としている。
このような構成によると、実効現像バイアスは、像担持体において静電潜像が形成されている部分の電位と現像剤担持体に対する印加バイアスとの差であるので、印加バイアスを制御することにより、精度の良い実効現像バイアスの制御を達成することができる。
【００２２】
また、請求項１２に記載の発明は、請求項１ないし１１のいずれかに記載の発明において、前記現像剤担持体の移動速度が、前記像担持体の移動速度に対して、１．５倍以上に設定されていることを特徴としている。
このような構成によると、現像剤担持体に担持される現像剤を、像担持体に安定して転移させることができる。そのため、画像の濃度を一層安定させることができる。
【００２３】
また、請求項１３に記載の発明は、請求項１ないし１２のいずれかに記載の発明において、現像剤の帯電量が、１０μＣ／ｇ以上であることを特徴としている。
このような構成によると、現像剤担持体に担持される現像剤を、像担持体に良好に転移させることができる。そのため、画像の濃度を一層安定させることができる。
また、請求項１４に記載の発明は、請求項１ないし１３のいずれかに記載の発明において、現像剤は、スチレンアクリル樹脂に正帯電性を付与するための荷電制御樹脂を加えた正帯電トナーであることを特徴としている。
【００２４】
このような構成によると、現像剤中の荷電制御樹脂の量を調整することによって、像担持体のある領域のすべてを現像する場合に、現像剤担持体の表面に担持される現像剤の帯電量と、像担持体のある領域のすべてを現像しない場合に、現像剤担持体の表面上に担持される現像剤の帯電量とを等しくすることができる。そのため、像担持体のある領域のすべてを現像した後に、像担持体のある領域のすべてを再び現像する場合と、像担持体のある領域のすべてを現像しない態様の現像を行った後に、像担持体のある領域のすべてを現像する場合とで、実効現像バイアスに対する透過濃度の傾きが一致するような現像特性を持たせることができる。また、現像剤の帯電量を１０μＣ／ｇ以上としたりすることができ、現像剤担持体に担持される現像剤を、像担持体に良好に転移させることができる。その結果、画像の濃度を一層安定させることができる。
【００２５】
また、請求項１５に記載の発明は、請求項１ないし１４のいずれかに記載の画像形成装置において、複数色の現像剤を用いてカラー画像を形成する画像形成装置であって、前記像担持体および現像剤担持体は、各色ごとに設けられており、前記制御手段は、各色ごとに実効現像バイアスを制御することを特徴としている。
このような構成によると、各色の現像剤担持体ごとに、目標透過濃度の画像が形成されるように実効現像バイアスを制御することができる。そのため、各色ごとに、安定した画像濃度で画像を形成することができる。
【発明の効果】
【００２６】
請求項１に記載の発明によれば、安定した画像濃度で画像を形成することができる。
請求項２に記載の発明によれば、一定の目標透過濃度で画像を形成することができる。
請求項３に記載の発明によれば、装置の周囲の気温および相対湿度にかかわらず、安定した濃度で画像を形成することができる。
請求項４に記載の発明によれば、装置の周囲の気温にかかわらず、安定した濃度で画像を形成することができる。
【００２７】
請求項５に記載の発明によれば、装置の相対湿度にかかわらず、安定した濃度で画像を形成することができる。
請求項６に記載の発明によれば、現像剤担持体の累積駆動時間にかかわらず、安定した濃度で画像を形成することができる。
請求項７に記載の発明によれば、現像剤担持体の累積駆動時間および現像剤の累積消費量にかかわらず、安定した濃度で画像を形成することができる。
【００２８】
請求項８に記載の発明によれば、像担持体のある領域のすべてを現像した後に、像担持体のある領域のすべてを再び現像する場合と、像担持体のある領域のすべてを現像しない態様の現像を行った後に、像担持体のある領域のすべてを現像する場合とで、実効現像バイアスに対する透過濃度の傾きが一致するような現像特性を持たせることができる。
請求項９に記載の発明によれば、像担持体のある領域のすべてを現像する場合と、像担持体のある領域のすべてを現像しない場合とで、実効現像バイアスに対する透過濃度の傾きが一致するような現像特性を持たせることができる。
【００２９】
請求項１０に記載の発明によれば、現像剤像が転写される転写媒体の地色に影響されない安定した濃度の画像を形成することができる。
請求項１１に記載の発明によれば、印加バイアスを制御することにより、精度の良い実効現像バイアスの制御を達成することができる。
請求項１２に記載の発明によれば、画像の濃度を一層安定させることができる。
【００３０】
請求項１３に記載の発明によれば、画像の濃度を一層安定させることができる。
請求項１４に記載の発明によれば、画像の濃度を一層安定させることができる。
請求項１５に記載の発明によれば、各色ごとに濃度の調整が可能となり、形成されるフルカラー画像の色調を安定させることができる。
【発明を実施するための最良の形態】
【００３１】
図１は、本発明の画像形成装置としてのカラーレーザプリンタの一実施形態を示す要部側断面図である。
図１において、このカラーレーザプリンタ１は、複数のプロセス部１６が水平方向において並列的に配置される、いわゆる横置きタイプのタンデム方式のカラーレーザプリンタであって、画像形成装置本体としての本体ケーシング２内に、用紙３を給紙するための給紙部４、給紙された用紙３に画像を形成するための画像形成部５、画像が形成された用紙３を排紙するための排紙部６を備えている。
【００３２】
本体ケーシング２は、上側が開口される側面視略矩形状のボックス形状をなし、その上側にはトップカバー７が設けられている。このトップカバー７は、本体ケーシング２の一方側の側壁に設けられるヒンジ８を介して回動可能に支持されており、仮想線で示すように、本体ケーシング２に対して開閉自在に設けられている。
なお、以下の説明において、ヒンジ８が設けられる側を「後側」とし、その反対側を「前側」とする。
【００３３】
このトップカバー７には、用紙３を排紙するための排紙口９と、排紙口９から排紙された用紙３をスタックするために、排紙口９側がより深く窪む凹状の排紙トレイ１０と、排紙口９における排紙トレイ１０の後端部に設けられる排紙ローラ１１とを備えている。これら排紙口９、排紙トレイ１０および排紙ローラ１１は、トップカバー７の開閉動作時には、トップカバー７と一体的に移動される。
【００３４】
給紙部４は、本体ケーシング２内の底部において、本体ケーシング２に対して前側から水平方向に着脱自在に装着される給紙トレイ１２と、その給紙トレイ１２の前端部上方に設けられる給紙ローラ１３と、給紙ローラ１３の上方であって、給紙ローラ１３に対して用紙３の搬送方向下流側に設けられる搬送ローラ１４と、給紙ローラ１３と搬送ローラ１４との間において、用紙３の搬送経路に沿って上下方向に配置されるガイド部材１５とを備えている。
【００３５】
給紙トレイ１２内には、用紙３を積層状にスタックすることができる。給紙トレイ１２内にスタックされた用紙３は、図示しない圧板によって、その最上位にある用紙３が給紙ローラ１３に下方から接触して押圧される。
給紙ローラ１３が回転されると、給紙トレイ１２内の最上位の用紙３が、給紙トレイ１２から搬送ローラ１４に向けて送り出される。給紙トレイ１２から送り出された用紙３は、ガイド部材１５に案内されて、搬送ローラ１４に搬送され、さらに搬送ローラ１４の回転によって、搬送ベルト６７と各感光ドラム５６との間の転写位置に向けて搬送される。
【００３６】
画像形成部５は、プロセス部１６、転写部１７および定着部１８を備えている。
プロセス部１６は、複数色のトナーの各色毎に設けられている。すなわち、プロセス部１６は、イエロープロセス部１６Ｙ、マゼンタプロセス部１６Ｍ、シアンプロセス部１６Ｃおよびブラックプロセス部１６Ｋの４つからなる。これらプロセス部１６は、前側から後側に向かって互いに所定間隔を隔てて、水平方向において重なる並列状に順次配置されている。
【００３７】
各プロセス部１６は、スキャナユニット１９、現像ユニット２０、感光ドラムユニット２１を備えている。
スキャナユニット１９は、鉛直方向において搬送ベルト６７と所定間隔を隔てて配置され、各スキャナユニット１９毎に本体ケーシング２に固定されている。また、各スキャナユニット１９は、鉛直方向において、互いに略同一位置に配置されており、つまり、互いに水平方向において重なるように配置されている。
【００３８】
スキャナユニット１９は、図２に示すように、スキャナケーシング２２内に、レーザ発光部（図示せず）、ポリゴンミラー２３、２つのレンズ２４および２５、３つの反射鏡２６、２７および２８を備えている。
スキャナケーシング２２は、側面視略細長矩形状のボックス形状をなし、その長手方向が鉛直方向に配置された状態で、本体ケーシング２に対して固定されている。スキャナケーシング２２における感光ドラムユニット２１と対向する壁には、レーザ光が射出される射出窓２９が形成されている。
【００３９】
そして、このスキャナユニット１９では、レーザ発光部から発光される画像データに基づくレーザ光が、ポリゴンミラー２３で偏向され、レンズ２４、反射鏡２６、反射鏡２７、レンズ２５、反射鏡２８を、順次通過または反射して、射出窓２９から射出される。射出窓２９から射出されたレーザ光は、後述する感光ドラム５６に照射される。
現像ユニット２０は、各現像ユニット２０毎に本体ケーシング２に対して着脱自在に装着されており、現像ケーシング３０内に、トナー収容室３１、供給ローラ３２、現像剤担持体としての現像ローラ３３および層厚規制ブレード３４を備えている。
【００４０】
現像ケーシング３０は、下方が開口される側面視略細長矩形状のボックス形状に形成され、上側の内部空間がトナー収容室３１として構成されており、それよりも下側の内部空間が、供給ローラ３２、現像ローラ３３および層厚規制ブレード３４が設けられる現像室４７として構成されている。
トナー収容室３１には、各色毎の現像剤としてのトナーが収容されている。すなわち、トナー収容室３１内には、トナーとして、各プロセス部１６毎に、イエロープロセス部１６Ｙにはイエロー、マゼンタプロセス部１６Ｍにはマゼンタ、シアンプロセス部１６Ｃにはシアンおよびブラックプロセス部１６Ｋにはブラックの色を有する正帯電性の非磁性１成分の重合トナーが、それぞれ収容されている。
【００４１】
より具体的には、各色毎のトナーは、重合法により得られた略球形の重合トナーが用いられている。重合トナーは、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる結着樹脂を主成分とし、これに、着色剤、荷電制御剤、ワックスなどが配合されることによりトナー母粒子が形成され、さらにこれに、流動性を調整するための外添剤が添加されてなるものである。このような重合トナーは、重合法によって得られているため、粒子径がほぼ均一な球状をなしている。
【００４２】
着色剤としては、イエロー、マゼンタ、シアンおよびブラックの各着色剤が配合されている。また、荷電制御剤としては、たとえば、アンモニウム塩などのイオン性官能基を有するイオン性単量体と、スチレン系単量体やアクリル系単量体などのイオン性単量体と共重合可能な単量体との共重合によって得られる荷電制御樹脂が配合されている。また、外添剤としては、たとえば、シリカ、酸化アルミニウム、酸化チタン、チタン酸ストロンチウム、酸化セリウム、酸化マグネシウムなどの金属酸化物の粉末や、炭化物の粉末、金属塩の粉末などの無機粉末が配合されている。
【００４３】
以下、本実施形態においては、スチレンアクリル樹脂に荷電制御剤としての荷電制御樹脂を加えて正帯電性を付与した正帯電非磁性一成分重合トナーを用いた例について説明する。
また、トナー収容室３１内の下方には、トナーを攪拌するためのアジテータ４８が設けられている。このアジテータ４８は、現像ケーシング３０の両側壁５１に対して回転自在に支持される回転軸４９と、その回転軸４９から径方向に延びるフィルムからなる攪拌部材５０とを備えている。
【００４４】
そして、このアジテータ４８では、図示しないモータからの動力が回転軸４９に入力されると、回転軸４９が回転駆動され、これによって、攪拌部材５０が矢印方向（時計方向）に回転される。このアジテータ４８の駆動において、攪拌部材５０が、現像ケーシング３０に接触すると、攪拌部材５０の遊端部が、攪拌部材５０の回転方向下流側に撓むようにして、現像ケーシング３０と摺動される。このような攪拌部材５０の攪拌により、トナー収容室３１のトナーは、トナー収容室３１から現像室４７側に流動される。
【００４５】
また、このトナー収容室３１には、トナー収容室３１内のトナーの量が所定量より少なくなったことを検知するための検知窓９０が設けられており、この検知窓９０の外側には、トナーエンプティセンサ９１（図１１参照）が設けられている。トナー収容室３１内のトナーが所定量より少なくなると、トナーエンプティセンサ９１から後述するＣＰＵ７１に向けてトナーエンプティ信号が出力される。また、このトナーエンプティ信号は、トナー収容室３１内にトナーが補充されたとき、あるいは、新品の現像ユニット２０に交換されたときに解除される。
【００４６】
供給ローラ３２は、現像室４７内の前側上方において、供給ローラ上側壁部３８の下方であって、湾曲状に形成される供給ローラ前側被覆壁４０に沿うように設けられている。この供給ローラ３２は、金属製のローラ軸３２ａに、導電性のスポンジ部材からなるローラ部分が被覆されている。
供給ローラ３２のローラ軸３２ａは、現像ケーシング３０の両側壁５１に回転自在に支持されており、現像時には、図示しないモータからの動力が伝達される。そして、供給ローラ３２は、図示しないモータからの動力が伝達されると、現像ローラ３３と対向接触するニップ部分において、現像ローラ３３と逆方向に回転するように、矢印方向（反時計方向）に回転駆動される。
【００４７】
現像ローラ３３は、現像室４７内の前側下方であって、供給ローラ３２の下方において供給ローラ３２と対向配置され、供給ローラ３２と圧縮されるような状態で設けられている。また、現像ローラ３３の下側の表面が、現像ケーシング３０から露出するように配置されている。
また、現像ローラ３３は、金属製のローラ軸３３ａに、導電性のゴム材料などの弾性部材からなるローラ部分が被覆されている。より具体的には、現像ローラ３３のローラ部分は、カーボン微粒子などを含む導電性のウレタンゴム、シリコーンゴムまたはＥＰＤＭゴムなどからなる弾性体のローラ部と、そのローラ部の表面に被覆され、ウレタンゴム、ウレタン樹脂、ポリイミド樹脂などが主成分とされるコート層との２層構造によって形成されている。
【００４８】
現像ローラ３３のローラ軸３３ａは、現像ケーシング３０の両側壁５１に回転自在に支持されており、現像時には、図示しないモータからの動力が伝達される。そして、現像ローラ３３は、図示しないモータからの動力が伝達されると、感光ドラム５６と対向接触するニップ部分において、感光ドラム５６と同方向に回転するように、矢印方向（反時計方向）に回転駆動される。また、この現像ローラ３３のローラ軸３３ａには、現像時において、後述する直流電源７５から現像バイアスが印加される。また、現像ローラ３３の周速は、感光ドラム５６の周速に対して、１．５倍以上に設定されている。
【００４９】
なお、トナー収容室３１には、現像ローラ３３の前側の表面に圧接されるフィルム部材５２が設けられている。このフィルム部材５２によって、現像ローラ３３の前側の表面と、トナー収容室３１との隙間からトナーが漏れることを防止している。
層厚規制ブレード３４は、現像ケーシング３０の幅方向の全体にわたって設けられ、現像ローラ３３と供給ローラ３２との対向位置よりも、現像ローラ３３の回転方向における下流側に配置され、金属の板ばね部材からなるブレード本体５３と、そのブレード本体５３の遊端部に設けられ、絶縁性のシリコーンゴムからなる断面半円形状の押圧部５４とを備えている。
【００５０】
ブレード本体５３は、その基端部がトナー収容室３１の上面に接合され、その遊端部がブレード支持壁４５から前方に向かって延び、現像ローラ３３の上側の表面と対向するように配置されている。
押圧部５４は、ブレード本体５３の遊端部の下面に設けられており、現像ローラ３３の上側の表面に、ブレード本体５３の弾性力によって圧接されている。
【００５１】
なお、このような配置において、現像ローラ３３の上側の表面は、その前側において供給ローラ３２が接触され、その供給ローラ３２とのニップ部分と所定間隔を隔てた後側において層厚規制ブレード３４の押圧部５４が接触されている。これによって、現像ローラ３３の上側の表面は、供給ローラ３２とのニップ部分と押圧部５４の接触部分との隙間において、トナーと接触される。
【００５２】
そして、トナー収容室３１内に収容されているトナーが、攪拌部材５０の攪拌により、現像室４７側に流動されると、そのトナーは、供給ローラ３２の回転駆動によって、現像ローラ３３に供給され、このときに、供給ローラ３２と現像ローラ３３との間で正に摩擦帯電される。なお、このとき、供給ローラ３２と現像ローラ３３とは、ニップ部分において互いに反対方向に回転しているので、供給ローラ３２から現像ローラ３３に供給されたトナーが効率的に帯電される。
【００５３】
そして、正に摩擦帯電されたトナーは、現像ローラ３３の回転駆動に伴って、層厚規制ブレード３４の押圧部５４と現像ローラ３３との間に進入し、一定の厚さの薄層に規制された状態で、現像ローラ３３上に担持される。
感光ドラムユニット２１は、各感光ドラムユニット２１毎に本体ケーシング２に対して着脱自在に装着されており、ドラムケーシング５５内に、現像ローラ３３と対向配置される像担持体としての感光ドラム５６と、スコロトロン型帯電器５７とを備えている。
【００５４】
ドラムケーシング５５は、上下方向が貫通状に開口される略矩形枠状のドラム収容部５８と、ドラム収容部５８の前側から上方に延び、現像ケーシング３０を受ける受け板部５９とが一体的に形成されている。
感光ドラム５６は、アルミニウムなどの円筒形状の金属素管からなり、その表面には、ポリカーボネートを主成分とする有機感光体からなる感光層が被覆されている。この感光ドラム５６の外径は、現像ローラ３３の外径よりも大きく形成されている。また、この感光ドラム５６は、回転軸６０を介して、ドラム収容部５８の両側壁に回転自在に支持されており、転写時には、回転軸６０に図示しないモータからの動力が伝達される。そして、この感光ドラム５６は、図示しないモータからの動力が伝達されると、搬送ベルト６７と対向接触するニップ部分において、搬送ベルト６７と同方向に回転するように、矢印方向（時計方向）に回転駆動される。
【００５５】
また、スコロトロン型帯電器５７は、感光ドラム５６の後側側方において、感光ドラム５６と所定間隔を隔ててドラム収容部５８の後壁に固定されている。このスコロトロン型帯電器５７は、タングステンなどの帯電用ワイヤからコロナ放電を発生させる正帯電用のスコロトロン型の帯電器であり、図示しない電源からの電圧の印加により、感光ドラム５６の表面を一様に正極性に帯電できるように設けられている。
【００５６】
そして、感光ドラム５６が回転されると、まず、スコロトロン型帯電器５７によって、感光ドラム５６の表面が一様に正帯電される。その後、感光ドラム５６の回転に伴って、感光ドラム５６の表面の静電潜像形成領域が、スキャナユニット１９からのレーザ光によって高速走査される。これにより、感光ドラム５６の表面の静電潜像形成領域に、画像データに基づく静電潜像が形成される。その後、現像ローラ３３と対向した時に、現像ローラ３３に担持され正極性に帯電されているトナー（以下「正帯電トナー」という。）が、その感光ドラム５６の表面に形成された静電潜像、すなわち、一様に正帯電されている感光ドラム５６の表面のうち、レーザ光によって露光されて、電荷が除去されることによって電位が下がっている部分に、電気的に転移して担持されることによって可視像化され、反転現像が達成される。これによって、感光ドラム５６上に各色毎のトナー像が形成される。
【００５７】
転写部１７は、図１に示すように、本体ケーシング２内において、水平方向に配置される各感光ドラム５６における各現像ユニット２０の反対側において、各感光ドラム５６と対向するように設けられている。この転写部１７は、駆動ローラ６５と、従動ローラ６６と、搬送ベルト６７と、転写ローラ６８とを備えている。
駆動ローラ６５は、イエロープロセス部１６Ｙの感光ドラム５６よりも前方に配置されている。従動ローラ６６は、ブラックプロセス部１６Ｋの感光ドラム５６よりも後方に配置されている。
【００５８】
また、搬送ベルト６７は、エンドレスベルトからなり、カーボンなどの導電性粒子を分散した導電性のポリカーボネートやポリイミドなどの樹脂によって形成されている。この搬送ベルト６７は、駆動ローラ６５と従動ローラ６６との間に巻回されている。搬送ベルト６７は、巻回されている外側の接触面が、各プロセス部１６の感光ドラム５６のすべてと対向接触するように、配置されている。
【００５９】
そして、駆動ローラ６５の駆動により、従動ローラ６６が従動され、搬送ベルト６７が、これら駆動ローラ６５および従動ローラ６６の間を、各プロセス部１６の感光ドラム５６と対向接触する接触面において、感光ドラム５６と同方向に回転するように、反時計方向に周回移動される。
また、転写ローラ６８は、巻回されている搬送ベルト６７内において、各プロセス部１６の感光ドラム５６と、搬送ベルト６７を挟んで対向するように、それぞれ設けられている。この転写ローラ６８は、金属製のローラ軸に、導電性のゴム材料などの弾性部材からなるローラ部分が被覆されている。また、転写ローラ６８は、搬送ベルト６７と対向接触する接触面において、搬送ベルト６７の周回移動方向と同方向に回転するように、反時計方向に回転可能に設けられており、転写時には、図示しない電源から転写バイアスが印加される。
【００６０】
そして、給紙部４から給紙された用紙３は、搬送ローラ１４によって搬送され、駆動ローラ６５の駆動および従動ローラ６６の従動により周回移動される搬送ベルト６７と、各プロセス部１６の感光ドラム５６との間を順次通過し、その通過している間に、各プロセス部１６の感光ドラム５６に形成されている各色毎のトナー像が順次転写され、これにより、用紙３にカラー像が形成される。
【００６１】
すなわち、たとえば、イエロープロセス部１６Ｙの感光ドラム５６上に形成されたイエローのトナー像が、用紙３に転写されると、次いで、マゼンタプロセス部１６Ｍの感光ドラム５６上に形成されたマゼンタのトナー像が、既にイエローのトナー像が転写されている用紙３に重ねて転写され、同様の動作によって、シアンプロセス部１６Ｃによって形成されるシアンのトナー像、ブラックプロセス部１６Ｋよって形成されるブラックのトナー像が重ねて転写され、これによって、用紙３にカラー像が形成される。
【００６２】
このようなカラー像の形成において、このカラーレーザプリンタ１では、感光ドラム５６を各色毎に備えるタンデム方式の装置構成であるため、モノクロ画像を形成する速度とほぼ同じ速度で、各色毎のトナー像を形成して、迅速なカラー像の形成を達成することができる。
定着部１８は、各プロセス部１６および転写部１７の後方であって、用紙３の搬送方向下流側に設けられている。この定着部１８は、加熱ローラ７０および押圧ローラ６９を備えている。加熱ローラ７０は、その表面に離型層が形成される金属素管からなり、その軸方向に沿ってハロゲンランプが内装されている。そして、ハロゲンランプにより、加熱ローラ７０の表面が定着温度に加熱される。また、押圧ローラ６９は、加熱ローラ７０を押圧するように設けられている。
【００６３】
そして、用紙３に転写されたカラー像は、次いで、定着部１８において、用紙３が加熱ローラ７０と押圧ローラ６９との間を通過する間に、熱定着される。
排紙部６は、上記した排紙口９、排紙トレイ１０および排紙ローラ１１を備えている。熱定着された用紙３は、排紙ローラ１１によって、排紙口９から本体ケーシング２の外側に排紙され、排紙トレイ１０上にスタックされる。
【００６４】
図３は、このカラーレーザプリンタ１における現像特性を示す図である。このカラーレーザプリンタ１では、感光ドラム５６の静電潜像形成領域の全域を各色毎のトナーのみで単色現像して、いわゆる黒べたを形成した場合に、各プロセス部１６の現像ローラ３３の表面に担持されるトナーの単位質量あたりの帯電量（ｑ／ｍ）と、感光ドラム５６の静電潜像形成領域の全域を現像せずに、いわゆる白べたを形成した場合に、各プロセス部１６の現像ローラ３３の表面に担持されるトナーの単位質量あたりの帯電量（ｑ／ｍ）とが一致し、かつ、その帯電量（ｑ／ｍ）が１０μＣ／ｇ以上となるように、荷電制御剤の添加量が調整されている。スチレンアクリル樹脂に荷電制御剤としての荷電制御樹脂を加えた正帯電トナーの場合、荷電制御樹脂の添加量が調整される。
【００６５】
また、黒べたを形成した場合に、各プロセス部１６の現像ローラ３３の表面に担持されるトナーの単位面積あたりの質量であるトナー担持量（ｍ／ａ）が、白べたを形成した場合におけるトナー担持量（ｍ／ａ）よりも小さくなるように、各色毎のトナーにおける外添剤が調整されている。
具体的には、小粒径の外添剤を減らして、５０ｎｍ以上の大粒径の外添剤を増やすことによって、トナーの流動性を低下させることにより、黒べたを形成する場合におけるトナー担持量（ｍ／ａ）を、白べたを形成する場合におけるトナー担持量（ｍ／ａ）よりも小さくしている。
【００６６】
これによって、このカラーレーザプリンタ１は、直前に形成される画像の内容、すなわち黒べたか白べたかのみが異なり、その他の現像条件が一定の場合には、この図３に示すように、感光ドラム５６において静電潜像が形成されている部分（レーザ光の照射によって電荷が除去された部分）の表面電位（以下「静電潜像電位」という。）と現像ローラ３３に印加されている現像バイアスとの差である実効現像バイアスが低い領域では、実効現像バイアスが高くなるに従って、黒べたを形成した後に黒べたを再び形成する場合と、白べたを形成した後に黒べたを形成する場合とで、同じ比例関係（実効現像バイアスに対する透過濃度の傾き）で、用紙３に対するトナーの付着量に比例する透過濃度が増加し、実効現像バイアスが高い領域では、黒べたを形成した後に黒べたを再び形成した場合の透過濃度の飽和値が、白べたを形成した後に黒べたを形成した場合の透過濃度の飽和値よりも低くなる特性を有している。
【００６７】
そのため、実効現像バイアスと透過濃度との比例関係（実効現像バイアス電圧に対する透過濃度の傾き）に基づいて、実効現像バイアスを制御することにより、直前に黒べたが形成されたか白べたが形成されたかにかかわらず、感光ドラム５６にほぼ一定量のトナーを担持させることができ、その結果、安定した濃度の画像を用紙３に形成することができる。
【００６８】
図４は、実効現像バイアスを制御するための制御系を示すブロック図である。このカラーレーザプリンタ１は、制御手段としてのＣＰＵ７１を備えている。
ＣＰＵ７１は、ＲＯＭ７２およびＲＡＭ７３を備えている。ＲＯＭ７２には、実効現像バイアスを制御するためのプログラムや、実効現像バイアス、透過濃度、および後述する光反射率と下地反射率との偏差の関係を表すテーブルなどが格納されている。また、ＲＡＭ７３は、ＣＰＵ７１がＲＯＭ７２に格納されているプログラムを実行する際のワークエリアとして機能し、一時的な数値などが格納される。
【００６９】
ＣＰＵ７１には、搬送ベルト６７の後端部（ブラックプロセス部１６Ｋよりも用紙３の搬送方向下流側）上方に対向配置され（図１参照）、搬送ベルト６７に搬送される用紙３の表面における光反射率を検知するための濃度検知手段としての反射率センサ７４が接続されており、この反射率センサ７４の検知信号が入力される。また、ＣＰＵ７１には、現像ローラ３３に印加するための現像バイアスを発生する直流電源７５が、制御対象として接続されている。
【００７０】
ＣＰＵ７１は、ＲＯＭ７２に格納されているプログラムに従って、次に述べる濃度補正処理を実行し、現像ローラ３３に印加する現像バイアス（以下「印加バイアス」という。）を制御することにより、実効現像バイアスを制御する。
図５は、濃度補正処理の流れを示すフローチャートである。この濃度補正処理では、まず、ＣＰＵ７１の制御によって、給紙トレイ１２から用紙３が送り出され、この用紙３が反射率センサ７４の検知位置に到達すると、反射率センサ７４によって、用紙３の下地（画像が形成されていない表面）における光反射率である下地反射率Ｉｂが検知される（Ｓ１）。
【００７１】
次に、ＣＰＵ７１の制御によって、あらかじめ設定された実効現像バイアスＶｔａに静電潜像電位を加えた大きさの印加バイアスが、現像ローラ３３に印加される。そして、新たな用紙３が搬送されて、その用紙３の所定位置にトナーによるパッチ（１色に塗りつぶされた領域）を形成するための画像形成動作が行なわれる（Ｓ２）。なお、実効現像バイアスＶｔａは、あらかじめ実験が行われることにより、実効現像バイアスに対する透過濃度の値が飽和しない範囲内の値に設定されている。
【００７２】
用紙３がプロセス部１６を通過し、用紙３上のパッチが反射率センサ７４の検知位置に到達すると（Ｓ３：ＹＥＳ）、反射率センサ７４によって、そのパッチにおける光反射率であるパッチ反射率Ｉｐａが検知される（Ｓ４）。
その後、ＣＰＵ７１は、パッチ反射率Ｉｐａと下地反射率Ｉｂとの偏差（Ｉｐａ−Ｉｂ）を求める。そして、ＲＯＭ７２に格納されているテーブルを参照して、実効現像バイアスＶｔａに対応する透過濃度Ｄｍａを求める（Ｓ５）。
【００７３】
続いて、ＣＰＵ７１の制御によって、あらかじめ設定された実効現像バイアスＶｔｂに静電潜像電位を加えた大きさの印加バイアスが、現像ローラ３３に印加される。そして、新たな用紙３が搬送されて、その用紙３の所定位置にトナーによるパッチを形成するための画像形成動作が行なわれる（Ｓ６）。実効現像バイアスＶｔｂも実効現像バイアスＶｔａと同様に、あらかじめ実験が行われることにより、実効現像バイアスに対する透過濃度の値が飽和しない範囲内の値に設定されている。
【００７４】
用紙３がプロセス部１６を通過し、用紙３上のパッチが反射率センサ７４の検知位置に到達すると（Ｓ７：ＹＥＳ）、反射率センサ７４によって、そのパッチにおける光反射率であるパッチ反射率Ｉｐｂが検知される（Ｓ８）。
また、ＣＰＵ７１は、パッチ反射率Ｉｐｂと下地反射率Ｉｂとの偏差（Ｉｐｂ−Ｉｂ）を求める。そして、ＲＯＭ７２に格納されているテーブルを参照して、実効現像バイアスＶｔｂに対応する透過濃度Ｄｍｂを求める（Ｓ９）。
【００７５】
ここで、実効現像バイアスＶｔａに対応する透過濃度Ｄｍａおよび実効現像バイアスＶｔｂに対応する透過濃度Ｄｍｂを求めるために参照されるテーブルは、あらかじめ実験が行われることにより作成されて、ＲＯＭ７２に格納されている。実験では、種々の実効現像バイアスに静電潜像電位を加えた大きさの印加バイアスが、現像ローラ３３に印加されて、透明なシート上に各実効現像バイアスに対するパッチが作成される。そして、濃度センサおよび反射率センサを用いて、各パッチの透過濃度と反射率とが検出される。不透明な用紙上のパッチの透過濃度を濃度センサで検出することはできないが、透明なシート上に形成されたパッチであれば、そのパッチを透過する光量に基づいて透過濃度を検出することができる。また、このときに検出される反射率は、透明なシート上のパッチの反射率、すなわちパッチ自体の反射率となる。このパッチ自体の反射率は、用紙上のパッチにおける反射率から下地反射率を差し引いたものに相当する。したがって、この実験により、実効現像バイアス、透過濃度、および光反射率と下地反射率との偏差の関係を求めることができる。
【００７６】
そのため、あらかじめ各色のトナーにおいて、実効現像バイアス、透過濃度、および光反射率と下地反射率との偏差の関係を求めて、これらの関係を表すテーブルを作成し、ＲＯＭ７２に保存しておけば、ＣＰＵ７１が、このテーブルを参照することによって、Ｖｔａ、Ｖｔｂに対応するパッチの透過濃度Ｄｍａ、Ｄｍｂを求めることができる。
上述のようにして、Ｄｍａ、Ｄｍｂが求められると、次いで、ＣＰＵ７１は、次式（１）に従って、実効現像バイアスに対する透過濃度のグラフの傾きの逆数ｄＶを求める（Ｓ１０）。
【００７７】
ｄＶ＝（Ｖｔａ−Ｖｔｂ）／（Ｄｍａ−Ｄｍｂ）    ・・・（１）
そして、ＣＰＵ７１は、実効現像バイアスに対して透過濃度が比例関係にある領域内に設定された目標透過濃度Ｄｒとテーブルにより求めた透過濃度Ｄｍａとの偏差を求め、この偏差に式（１）で求めた実効現像バイアスに対する透過濃度の傾きの逆数ｄＶを乗算して得られる乗算値に、パッチ形成時における実効現像バイアスＶｔａを加算することにより、実効現像バイアスＶｂを決定する（Ｓ１１）。すなわち、ＣＰＵ７１は、下記式（２）に従って、実効現像バイアスＶｂを決定する。
【００７８】
Ｖｂ＝（Ｄｒ−Ｄｍａ）・ｄＶ＋Ｖｔａ    ・・・（２）
目標透過濃度Ｄｒと透過濃度Ｄｍａとの偏差に、式（１）で求めた実効現像バイアス電圧に対する透過濃度の傾きの逆数ｄＶを乗算して得られる乗算値（Ｄｒ−Ｄｍａ）・ｄＶは、図６に示すように、実効現像バイアス−透過濃度の特性を表すグラフ上において、目標透過濃度Ｄｒと透過濃度Ｄｍａとの間に含まれる傾斜直線部分の横軸方向の幅に対応する。したがって、その乗算値（Ｄｒ−Ｄｍａ）・ｄＶにＤｍａ測定用のパッチ形成時における実効現像バイアスＶｔａを加算することにより、目標透過濃度Ｄｒに対応する実効現像バイアスＶｂを求めることができる。よって、実効現像バイアスＶｂの設定後は、この実効現像バイアスＶｂに静電潜像電位を加えた大きさの印加バイアスを、現像ローラ３３に印加して、画像形成を行なうことにより、用紙３に目標透過濃度Ｄｒの画像を形成することができる。
【００７９】
以上のように、あらかじめ実験を行うことにより、実効現像バイアス、透過濃度、および光反射率と下地反射率との偏差の関係を求めて、これらの関係を表すテーブルを作成しておく。そして、実効現像バイアスと透過濃度とが比例関係にある領域にある実効現像バイアスＶｔａ、Ｖｔｂを決定し、その各実効現像バイアスＶｔａ、Ｖｔｂでパッチを作成して、各パッチ反射率Ｉｐａ、Ｉｐｂを測定し、その各パッチ反射率Ｉｐａ、Ｉｐｂと下地反射率Ｉｂとの偏差を求めた後、テーブルを参照して、各パッチの透過濃度Ｄｍａ、Ｄｍｂを求めれば、これに基づいて、実効現像バイアスと透過濃度との関係（比例部分の傾きの逆数）を求めることができる。これにより、実効現像バイアスと透過濃度とが比例関係にある領域において目標透過濃度Ｄｒを設定すれば、目標透過濃度Ｄｒに対応する実効現像バイアスＶｂを求めることができる。そのため、直前に形成される画像の内容（例えば、黒べたか白べたか）にかかわらず、目標透過濃度の画像が形成されるように実効現像バイアスを制御することができる。よって、安定した画像濃度で画像を形成することができる。
【００８０】
また、このカラーレーザプリンタ１では、供給ローラ３２と現像ローラ３３との間において、トナーが１０μＣ／ｇ以上の帯電量を有するように摩擦帯電されるので、現像ローラ３３の表面に担持されるトナーを、感光ドラム５６の表面に安定して転移させることができる。そのため、用紙３に形成される画像の濃度をより安定させることができる。
しかも、スチレンアクリル樹脂に正帯電性を付与するための荷電制御樹脂を加えた正帯電トナーの荷電制御樹脂の量を調整することによって、黒べたを形成した場合に、現像ローラ３３の表面に担持されるトナーの帯電量（ｑ／ｍ）と、白べたを形成した場合に、各プロセス部１６の現像ローラ３３の表面に担持されるトナーの帯電量（ｑ／ｍ）とを等しくしている。そのため、黒べたを形成した後に黒べたを形成する場合と、白べたを形成した後に黒べたを形成する場合とで、実効現像バイアスに対する透過濃度の傾きが一致するような現像特性を持たせることができる。この場合、その透過濃度の傾きの逆数をあらかじめ求めておけば、目標透過濃度に対応する実効現像バイアスを直ちに求めることができ、より簡素な構成で、安定した画像濃度での画像形成を達成することができる。また、トナーの帯電量を１０μＣ／ｇ以上とすることができ、現像ローラ３３に担持されるトナーを、感光ドラム５６に良好に転移させることができる。その結果、画像の濃度を一層安定させることができる。
【００８１】
さらに、現像ローラ３３の周速が、感光ドラム５６の周速の１．５倍以上に設定されているので、現像ローラ３３の表面に担持されるトナーを、感光ドラム５６の表面に一層良好に転移させることができる。そのため、用紙３に形成される画像の濃度を一層安定させることができる。
また、各色の現像剤担持体ごとに、目標透過濃度の画像が形成されるように実効現像バイアスを制御すれば、各色ごとに、安定した画像濃度で画像を形成することができる。
【００８２】
なお、より一層安定した濃度で画像を形成するために、目標透過濃度を、用紙３の地色およびその用紙３に対するトナーの付着量に依存する反射濃度が飽和する領域において設定してもよい。すなわち、図７に示すように、透過濃度と反射濃度とは、透過濃度が高くなるに従って反射濃度が一定値に収束する関係を有しており、反射濃度は、透過濃度が高い領域で一定値に飽和する。そのため、反射濃度が飽和する領域において目標透過濃度を設定することにより、用紙３の地色に影響されない安定した濃度の画像を形成することができる。
【００８３】
図８は、カラーレーザプリンタ１の他の実施形態における制御系を示すブロック図である。図８において、上述の図４に示す各部に対応する部分には、図４の場合と同一の参照符号を付して示し、以下では、その部分についての詳細な説明を省略する。
ＣＰＵ７１には、このカラーレーザプリンタ１の周囲の気温（雰囲気の温度）および相対湿度を検知するための温湿度検知手段としての温湿度センサ７６が接続されており、この温湿度センサ７６の検知信号が入力される。
【００８４】
また、ＲＯＭ７２には、温湿度センサ７６によって検出される温度および相対湿度と実効現像バイアスとの関係を定めた温湿度テーブル７７が設けられている。この温湿度テーブル７７は、たとえば、図９に示すように、１０℃、１５℃、２０℃、２５℃、３０℃および３５℃の各温度ごとに、０％、２０％、４０％、６０％、８０％および１００％の各相対湿度に対応づけて、実効現像バイアスが記憶されている。
【００８５】
このような温湿度テーブル７７は、様々な気温および相対湿度下でパッチ形成動作を実行して、用紙３にパッチを形成し、そのパッチにおける透過濃度と実効現像バイアスとの関係を求め、それらの関係に基づいて、あらかじめ定められた目標透過濃度の画像が形成される実効現像バイアスを求めることによって作成されている。
図１０を参照して、たとえば、気温３０℃、相対湿度８０％の高温高湿（ＨＨ）環境下で、実効現像バイアスを変化させて、各実効現像バイアスごとにパッチ形成動作（パッチを形成するための画像形成動作）を実行し、各実効現像バイアスに対するパッチの透過濃度を求めることにより、気温３０℃、相対湿度８０％の環境下における透過濃度と実効現像バイアスとの関係（ＨＨ特性）を求めれば、このＨＨ特性に基づいて、目標透過濃度Ｄｒに対応する実効現像バイアスＶＨＨを求めることができる。
【００８６】
また、気温２０℃、相対湿度６０％の常温常湿（ＮＮ）環境下で、実効現像バイアスを変化させて、各実効現像バイアスごとにパッチ形成動作を実行し、各実効現像バイアスに対するパッチの透過濃度を求めることにより、気温２０℃、相対湿度６０％の環境下における透過濃度と実効現像バイアスとの関係（ＮＮ特性）を求めれば、このＮＮ特性に基づいて、目標透過濃度Ｄｒに対応する実効現像バイアスＶＮＮを求めることができる。
【００８７】
さらに、気温１０℃、相対湿度２０％の低温低湿（ＬＬ）環境下で、実効現像バイアスを変化させて、各実効現像バイアスごとにパッチ形成動作を実行し、各実効現像バイアスに対するパッチの透過濃度を求めることにより、気温１０℃、相対湿度２０％の環境下における透過濃度と実効現像バイアスとの関係（ＬＬ特性）を求めれば、このＬＬ特性に基づいて、目標透過濃度Ｄｒに対応する実効現像バイアスＶＬＬを求めることができる。
【００８８】
ＣＰＵ７１は、画像形成時に、温湿度センサ７６によって検知される温度および相対湿度に対応する実効現像バイアスを温湿度テーブル７７から読み出し、その読み出した実効現像バイアスに静電潜像電位を加えた大きさの印加バイアスが現像ローラ３３に印加されるように、直流電源７５を制御する。
このように、温湿度テーブル７７に基づいて、画像形成時の実効現像バイアスを制御することにより、このカラーレーザプリンタ１の周囲の気温および相対湿度にかかわらず、一定の目標透過濃度Ｄｒの画像を安定して用紙３に形成することができる。
【００８９】
なお、温湿度センサ７６によって検知された温度および相対湿度に対応する実効現像バイアスが、温湿度テーブル７７に記憶されていない場合には、温湿度テーブル７７に記憶されている実効現像バイアスの中から、その検知された温度および相対湿度にそれぞれ最も近似する温度および相対湿度に対応する実効現像バイアスを読み出すようにしてもよいし、温湿度テーブル７７から複数の実効現像バイアスを読み出して、これらを用いた補間演算によって、その検知された温度および相対湿度に対応する実効現像バイアスを求めるようにしてもよい。
【００９０】
たとえば、温湿度センサ７６によって検知された温度が２２℃であり、相対湿度が３５％である場合に、温度２０℃および相対湿度４０％に対応する実効現像バイアスを温湿度テーブル７７から読み出すようにしてもよいし、温度２０℃および相対湿度２０％に対応する実効現像バイアスと、温度２０℃および相対湿度４０％に対応する実効現像バイアスと、温度２５℃および相対湿度２０％に対応する実効現像バイアスと、温度２５℃および相対湿度４０％に対応する実効現像バイアスとを読み出して、これらを用いた補間演算によって、温度２２℃および相対湿度３５％に対応する実効現像バイアスを求めるようにしてもよい。
【００９１】
ここで、温湿度テーブル７７に代えて、温度と実効現像バイアスとの関係を定めた温度テーブルをＲＯＭ７２に格納しておくとともに、温湿度センサ７６に代えて、このカラーレーザプリンタ１の周囲の気温を検知するための温度検知手段としての温度センサをＣＰＵ７１に接続して、その温度センサにより検知される温度に対応する実効現像バイアスを温度テーブルから読み出し、この実効現像バイアスに静電潜像電位を加えた大きさの印加バイアスを現像ローラ３３に印加するようにしてもよい。また、温湿度テーブル７７に代えて、相対湿度と実効現像バイアスとの関係を定めた湿度テーブルをＲＯＭ７２に格納しておくとともに、温湿度センサ７６に代えて、このカラーレーザプリンタ１の周囲の相対湿度を検知するための湿度検知手段としての湿度センサをＣＰＵ７１に接続して、その湿度センサにより検知される相対湿度に対応する実効現像バイアスを湿度テーブルから読み出し、この実効現像バイアスに静電潜像電位を加えた大きさの印加バイアスを現像ローラ３３に印加するようにしてもよい。これらの場合、温湿度センサ７６よりも構成が簡素で安価な温度センサまたは湿度センサを用いることができるので、カラーレーザプリンタ１のコストの低減を図ることができる。また、温度テーブルおよび湿度テーブルは、温湿度テーブル７７よりもデータ量が少ないので、それらのテーブルを記憶しておくための記憶領域の低減を図ることができる。
【００９２】
図１１は、カラーレーザプリンタ１の他の実施形態における制御系を示すブロック図である。図１１において、上述の図４に示す各部に対応する部分には、図４の場合と同一の参照符号を付して示し、以下では、その部分についての詳細な説明を省略する。
このカラーレーザプリンタ１において、ＲＡＭ７３には、新規にトナーを投入してからの現像ローラ３３の累積駆動時間を計測するための駆動計測手段としての累積駆動時間カウンタ７８が設けられている。この累積駆動時間カウンタ７８は、トナーエンプティセンサ９１からのトナーエンプティ信号の解除を、新規にトナーを投入したものと判断する契機として、リセットされ、その後、現像ローラ３３の駆動時間を累積してカウントするように設定されている。また、ＲＯＭ７２には、その累積駆動時間と実効現像バイアスとの関係を定めた累積駆動時間テーブル７９が格納されている。
【００９３】
累積駆動時間テーブル７９は、たとえば、図１２に示すように、リセット直後（累積駆動時間０秒）、累積駆動時間１×１０４秒、累積駆動時間２×１０４秒、累積駆動時間３×１０４秒および累積駆動時間４×１０４秒にそれぞれ対応づけて、実効現像バイアスＶｔ０，Ｖｔ１，Ｖｔ２，Ｖｔ３，Ｖｔ４が記憶されている。
累積駆動時間テーブル７９は、次のようにして作成することができる。
【００９４】
すなわち、図１３を参照して、リセット直後に、パッチ形成動作を実行して、用紙３にパッチを形成し、そのパッチにおける透過濃度と実効現像バイアスとの関係を求め、それらの関係に基づいて、あらかじめ定めた目標透過濃度Ｄｒの画像が形成される実効現像バイアスＶｔ０を求める。その後、用紙３の表面の面積に対する画像形成部分（印字部分）の面積の割合である印字面積率が４％となるような文字パターンの画像形成を繰り返し実行する。そして、累積駆動時間が１×１０４秒に達すると、パッチ形成動作を実行して、用紙３にパッチを形成し、そのパッチにおける透過濃度と実効現像バイアスとの関係を求め、それらの関係に基づいて、目標透過濃度Ｄｒの画像が形成される実効現像バイアスＶｔ１を求める。以下同様にして、累積駆動時間２×１０４秒、累積駆動時間３×１０４秒および累積駆動時間４×１０４秒のときに、それぞれ目標透過濃度Ｄｒの画像が形成される実効現像バイアスＶｔ２，Ｖｔ３，Ｖｔ４を求め、図１２に示すような駆動時間と実効現像バイアスとの関係を求めることにより、累積駆動時間テーブル７９を得ることができる。
【００９５】
ＣＰＵ７１は、画像形成時に、累積駆動時間カウンタ７８に記憶されている累積駆動時間を参照し、その累積駆動時間に対応する実効現像バイアスを累積駆動時間テーブル７９から読み出し、その読み出した実効現像バイアスに静電潜像電位を加えた大きさの印加バイアスが現像ローラ３３に印加されるように、直流電源７５を制御する。
このように、累積駆動時間テーブル７９に基づいて、画像形成時の実効現像バイアスを制御することにより、新規にトナーを投入してから（リセットしてから）の現像ローラ３３の累積駆動時間に基づいて、目標透過濃度Ｄｒの画像を形成するための実効現像バイアスが変化しても、一定の目標透過濃度Ｄｒの画像を安定して用紙３に形成することができる。
【００９６】
なお、累積駆動時間テーブル７９に記憶されていない累積駆動時間については、累積駆動時間テーブル７９に記憶されている実効現像バイアスの中から、その累積駆動時間に最も近似する累積駆動時間に対応する実効現像バイアスを読み出すようにしてもよいし、その記憶されていない累積駆動時間を挟む２つの累積駆動時間を読み出して、これらを用いた補間演算によって実効現像バイアスを求めるようにしてもよい。
【００９７】
図１４は、カラーレーザプリンタ１の他の実施形態における制御系を示すブロック図である。図１４において、上述の図１１に示す各部に対応する部分には、図１１の場合と同一の参照符号を付して示し、以下では、その部分についての詳細な説明を省略する。
このカラーレーザプリンタ１において、ＲＡＭ７３には、累積駆動時間カウンタ７８と、新規にトナーを投入してからのトナーの累積消費量を計測するための消費量計測手段としての累積消費量計測部８０とが設けられている。この累積消費量計測部８０は、スキャナユニット１９から高速走査される画像データに基づいて、用紙３に形成される総印字面積（総ドット数）を算出し、その総印字面積から、その総印字面積にほぼ比例するトナーの累積消費量を算出する。また、ＲＯＭ７２には、現像ローラ３３の累積駆動時間およびトナーの累積消費量と実効現像バイアスとの関係を定めた累積時間／消費量テーブル８１が格納されている。
【００９８】
累積時間／消費量テーブル８１は、たとえば、次のようにして作成することができる。
すなわち、リセット直後に、パッチ形成動作を実行して、用紙３にパッチを形成し、そのパッチにおける透過濃度と実効現像バイアスとの関係を求め、それらの関係に基づいて、あらかじめ定めた目標透過濃度Ｄｒの画像が形成される実効現像バイアスＶt0を求める。その後、用紙３の表面の面積に対する画像形成部分（印字部分）の面積の割合である印字面積率が１％となるような文字パターンの形成を繰り返し実行する。そして、累積駆動時間が１×１０４秒に達すると、パッチ形成動作を実行して、用紙３にパッチを形成し、そのパッチにおける透過濃度と実効現像バイアスとの関係を求め、それらの関係に基づいて、目標透過濃度Ｄｒの画像が形成される実効現像バイアスを求める。また、これと同時に、累積消費量計測部８０において、累積駆動時間が１×１０４秒に達するまでに消費したトナーの累積消費量を求める。累積駆動時間が１×１０４秒に達するまでのトナーの累積消費量は、累積駆動時間が１×１０４秒に達するまでの総印字面積に基づいて求められる。
【００９９】
以下同様にして、累積駆動時間２×１０４秒、累積駆動時間３×１０４秒および累積駆動時間４×１０４秒のときに、それぞれ目標透過濃度Ｄｒの画像が形成される実効現像バイアスと、各累積駆動時間に達するまでのトナーの累積消費量とを求める。
そして、各累積駆動時間について、実効現像バイアスとトナーの累積消費量とを対応づけてＲＯＭ７２に記憶させる。
【０１００】
次に、印字面積率が３％となるような文字パターンの形成を繰り返し実行し、印字面積率が１％となるような文字パターンの形成を繰り返した場合と同様にして、累積駆動時間１×１０４秒、累積駆動時間２×１０４秒、累積駆動時間３×１０４秒および累積駆動時間４×１０４秒のときに、それぞれ目標透過濃度Ｄｒの画像が形成される実効現像バイアスと、各累積駆動時間に達するまでのトナーの累積消費量とを求める。そして、各累積駆動時間について、実効現像バイアスとトナーの累積消費量とを対応づけてＲＯＭ７２に記憶させる。
【０１０１】
また、印字面積率が４％となるような文字パターンの形成を繰り返し実行した場合、印字面積率が６％となるような文字パターンの形成を繰り返し実行した場合、および、印字面積率が８％となるような文字パターンの形成を繰り返し実行した場合に、同様の作業を行なって、各累積駆動時間について、実効現像バイアスとトナーの累積消費量とを対応づけてＲＯＭ７２に記憶させる。これにより、現像ローラ３３の累積駆動時間およびトナーの累積消費量と実効現像バイアスとの関係を定めた累積時間／消費量テーブル８１を得ることができる。
【０１０２】
ＣＰＵ７１は、画像形成時に、累積駆動時間カウンタ７８に記憶されている累積駆動時間および累積消費量計測部８０に記憶されているトナーの累積消費量（累積印字面積）を参照し、その累積駆動時間および累積消費量に対応する実効現像バイアスを累積駆動時間テーブル７９から読み出し、その読み出した実効現像バイアスに静電潜像電位を加えた大きさの印加バイアスが現像ローラ３３に印加されるように、直流電源７５を制御する。
【０１０３】
このように、累積時間／消費量テーブル８１に基づいて、画像形成時の実効現像バイアスを制御することにより、新規にトナーを投入してからの現像ローラ３３の累積駆動時間およびトナーの累積消費量に基づいて、目標透過濃度Ｄｒの画像を形成するための実効現像バイアスが変化しても、一定の目標透過濃度Ｄｒの画像を用紙３に形成することができる。
【０１０４】
なお、累積駆動時間カウンタ７８に記憶されている累積駆動時間および累積消費量計測部８０に記憶されているトナーの累積消費量に対応する実効実効現像バイアスが、累積時間／消費量テーブル８１に記憶されていない場合には、累積時間／消費量テーブル８１に記憶されている実効現像バイアスの中から、その累積駆動時間カウンタ７８に記憶されている累積駆動時間および累積消費量計測部８０に記憶されているトナーの累積消費量にそれぞれ最も近似する累積駆動時間および累積消費量に対応する実効現像バイアスを読み出すようにしてもよいし、累積時間／消費量テーブル８１から複数の実効現像バイアスを読み出して、これらを用いた補間演算によって、累積駆動時間カウンタ７８に記憶されている累積駆動時間および累積消費量計測部８０に記憶されているトナーの累積消費量に対応する実効現像バイアスを求めるようにしてもよい。
【０１０５】
なお、上述の各実施形態では、実効現像バイアスを制御するために、現像ローラ３３に対する印加バイアスを制御したが、スコロトロン型帯電器５７による感光ドラム５６の帯電電位、あるいは、レーザ発光部から発光されるレーザ光の強度（静電潜像電位）を制御することにより、実効現像バイアスを制御するようにしてもよい。
【図面の簡単な説明】
【０１０６】
【図１】本発明の画像形成装置としての、カラーレーザプリンタの一実施形態を示す要部側断面図である。
【図２】図１におけるプロセス部の要部拡大側断面図である。
【図３】図１のカラーレーザプリンタにおける現像特性を示す特性図である。
【図４】図１のカラーレーザプリンタにおいて、実効現像バイアスを制御するための制御系を示すブロック図である。
【図５】図１のカラーレーザプリンタにおいて実行される濃度補正処理の流れを示すフローチャートである。
【図６】図５の処理において、目標透過濃度に対応する実効現像バイアスを決定するための手法を説明するための図である。
【図７】透過濃度と反射濃度との関係を示す図である。
【図８】カラーレーザプリンタの他の実施形態（温湿度テーブルに基づいて実効現像バイアスを制御する態様）における制御系を示すブロック図である。
【図９】図８の温湿度テーブルの内容を示す図である。
【図１０】図８の温湿度テーブルを作成する手順について説明するための図である。
【図１１】カラーレーザプリンタの他の実施形態（累積駆動時間テーブルに基づいて実効現像バイアスを制御する態様）における制御系を示すブロック図である。
【図１２】図１１の累積駆動時間テーブルの内容を示す図である。
【図１３】図１１の累積駆動時間テーブルを作成する手順について説明するための図である。
【図１４】カラーレーザプリンタの他の実施形態（累積時間／消費量テーブルに基づいて実効現像バイアスを制御する態様）における制御系を示すブロック図である。
【図１５】背景技術を説明するために、透過濃度と実効現像バイアスとの一般的な関係を示す図である。
【符号の説明】
【０１０７】
１      カラーレーザプリンタ
２１    感光ドラムユニット
３３    現像ローラ
７１    ＣＰＵ
７４    反射率センサ
７６    温湿度センサ
７７    温湿度テーブル
７８    累積駆動時間カウンタ
７９    累積駆動時間テーブル
８０    累積消費量計測部
８１    累積時間／消費量テーブル
【図１】
2006126821.tif 000003
【図２】
2006126821.tif 000004
【図３】
2006126821.tif 000005
【図４】
2006126821.tif 000006
【図５】
2006126821.tif 000007
【図６】
2006126821.tif 000008
【図７】
2006126821.tif 000009
【図８】
2006126821.tif 000010
【図９】
2006126821.tif 000011
【図１０】
2006126821.tif 000012
【図１１】
2006126821.tif 000013
【図１２】
2006126821.tif 000014
【図１３】
2006126821.tif 000015
【図１４】
2006126821.tif 000016
【図１５】
2006126821.tif 000017